(57)【要約】【課題】管球の封止部やその周辺部にクラックが発生しても、管球の落下を確実に防止する落下防止機構付きランプを提供すること【解決手段】ネック部(2c)の口径に比較して中央部(2a)の口径が大きい管球(2)と、前記管球の一端に形成された口金(6)と、前記口金から前記管球が離脱して落下するのを防止する落下防止機構(22)とを備えたランプ(10)において、前記落下防止機構(22)は、固定部材(24)と回転部材(26)とを有し、前記固定部材(24)は、マウント(8)の外周部を形成する支持部材(16)に固定され、前記回転部材(26)は、前記ネック部の口径より長い部材から成り、その中央部付近で前記固定部材に対して回転自在に取り付けられ、前記落下防止機構(22)は、前記回転部材がランプ軸線に直交する面で回転を停止する回転停止機能(24a)を備えており、ランプを上下反転して該ランプの口金を上方にしたとき、前記回転部材は回転してランプ軸線に直交する面で回転を停止する。【選択図】図３
2012230873.tif 000002
【特許請求の範囲】
【請求項１】
ネック部の口径に比較して中央部の口径が大きい管球と、
前記管球の一端に形成された口金と、
前記口金から前記管球が離脱して落下するのを防止する落下防止機構とを備えたランプにおいて、
前記落下防止機構は、固定部材と回転部材とを有し、
前記固定部材は、マウントの外周部を形成する支持部材に固定され、
前記回転部材は、前記管球が落下する際に少なくても一端が該管球内面に係合する長さを有し、その中央部付近で前記固定部材に対して回転自在に取り付けられ、
前記落下防止機構は、前記回転部材がランプ軸線に直交する面で回転を停止する回転停止機能を備えており、ランプを上下反転して該ランプの口金を上方にしたとき、前記回転部材は回転してランプ軸線に直交する面で回転を停止する、管球の落下防止機構付きランプ。
【請求項２】
請求項１に記載のランプにおいて、
前記支持部材は、マウントの支柱の一部である、ランプ。
【請求項３】
請求項１又は２に記載のランプにおいて、
前記回転部材の長さは、前記管球のネック部の口径より長い、ランプ。
【請求項４】
請求項１〜３のいずれか一項に記載のランプにおいて、
前記落下防止機構には、前記回転部材の回転方向を一方向に制限する逆転防止機能が備わっている、ランプ。
【請求項５】
請求項４に記載のランプにおいて、
前記回転停止機能及び前記逆転防止機能は、前記固定部材に形成されたタブ片により発揮されている、ランプ。
【請求項６】
請求項１〜５のいずれか一項に記載のランプにおいて、更に、
前記固定部材に対して前記回転部材が所定の角度回転したとき、該回転部材を固定する回転部材固定機能を有する、ランプ。
【請求項７】
請求項１〜６のいずれか一項に記載のランプにおいて、
前記落下防止機構を複数個設けている、ランプ。
【発明の詳細な説明】
【技術分野】
【０００１】
本発明は、管球の落下防止機構付きランプに関する。
【背景技術】
【０００２】
例えば、高圧水銀ランプ、高圧ナトリウムランプ、メタルハライドランプ及びセラミックメタルハライドランプのような高輝度放電ランプ（以下、「ＨＩＤランプ」という。）は、電極間の放電を利用して発光する。ＨＩＤランプは、白熱電球と比べて、光束が大きく大規模空間の照明に適し、エネルギー効率が良いため消費電力が少なく、寿命も長く、一般に演色性が高いといった種々の特徴を備えている。
【先行技術文献】
【特許文献】
【０００３】
【特許文献１】特開2002-184359号公報「照明用管球」（公開日：2002年06月28日）
【特許文献２】特開2008-66222号公報「高圧放電ランプ」（公開日：2008年03月21日）  図１は、特許文献１に開示する管球の落下防止機構を説明する図である。但し、本願図面の参照符号との重複を避けるため、図１の参照符号及び以下の説明は、特許文献１の図１及び２の参照符号を100番台に変更している。明細書段落0010〜0011に、「…留め金101は留め金本体101aと留め金心棒101bからなっており、留め金本体101aは…ステンレス鋼板を断面がコの字形になるように折り曲げたもので、留め金心棒101bを軸にして回転する。回転の範囲は支持金具とのなす角度が最大60度程度である。…留め金本体101aは重心軸を外して留め金心棒101bに支持されているので、口金が上になった時、留め金本体は重力によって回転し、支持金具102となす角度が60度まで回転する。…これとは逆に口金が下側になった時は、留め金本体と支持金具102のなす角度は0度になる。」と説明されている。
【０００４】
図２は、特許文献２に開示する管球の落下防止機構を説明する図である。但し、本願図面の参照符号との重複を避けるため、図２の参照符号は、特許文献２の図１の参照符号を200番台に変更している。要約に、「ランプ210では、管球214の上記球体部214a内における内部ステムリード212には、アーム222を有する落下ストッパ220が１つだけ取付けられており、アーム222が、その一端を支点Ｆとして、他端が第１の位置から第２の位置までの間を弧を描く状態に回転自在に構成されている。第２の位置では、アーム222が管球214の管軸Ａｘ10に対し、７０［°］よりも大きく、１１０［°］以下の角度をなす。」と説明されている。
【発明の概要】
【発明が解決しようとする課題】
【０００５】
ＨＩＤランプは、Ｅ形口金を照明装置のソケットへ装着する時、或いは点灯経過時において、希に、ステム管と管球のネック部との封止部やその周辺部にクラック等の割れを生じることがあった。
【０００６】
このクラックの原因としては、ガラス製管球とステム管との封止作業時の加熱バーナーによるガラス溶融の不具合が原因で、封止部をモールド成形した際に封止部やその周辺部のガラスの厚みが不均一に成る場合が挙げられる。或いは、管球から導出した外部導入線と口金とを半田等のろう材を用いて接続するスポット的な加熱時に生じる歪を除去する歪除去バーナーの調整不具合が原因で、封止部やその周辺部のガラスに歪みが残留する場合が挙げられる。このようなガラス厚みの不均一、残留歪み等により、管球の封止部やその周辺部に、微小な傷、割れ等が生じたり、加工歪が残留したりする。
【０００７】
ＨＩＤランプのＥ形口金をソケットにねじ込む際に封止部やその周辺部に強い捻り力が加わった場合、及び／又はランプ点滅による熱的衝撃或いはランプ点滅による熱的衝撃或いは振動衝撃等が管球の封止部やその周辺部に加わった場合に、クラックや割れが生じるおそれがある。
【０００８】
封止部やその周辺部に生じたクラックや割れが管球を一周すると、管球がＥ型口金から離脱して落下するおそれがある。なお、この問題は、後述するようにＨＩＤランプに限られず、管球を備えた他の白熱ランプにも存在している。
【０００９】
特許文献１及び２は、一定の管球の落下防止機構を開示する。ここに開示する移動部材（管球に係止して落下を防止する部材）は、いずれも、ランプ軸線に垂直面で見ると、作動時に半径方向に延在する構成となっている。従って、移動部材は管球に対して一点で係止する。これに対して、以下に説明する管球の落下防止機構では、移動部材は、半径方向に垂直な方向（弦方向）に延在する構成となっている。従って、移動部材は、管球に対して二点で係止することが期待される。
【課題を解決するための手段】
【００１０】
上記問題点に鑑みて、本発明は、管球の封止部やその周辺部にクラックが発生しても、管球の落下を確実に防止する落下防止機構付きランプを提供することを目的とする。
【００１１】
従って、本発明に係る管球の落下防止機構付きランプは、ネック部の口径に比較して中央部の口径が大きい管球と、前記管球の一端に形成された口金と、前記口金から前記管球が離脱して落下するのを防止する落下防止機構とを備えたランプであって、前記落下防止機構は、固定部材と回転部材とを有し、前記固定部材は、マウントの外周部を形成する支持部材に固定され、前記回転部材は、前記管球が落下する際に少なくても一端が該管球内面に係合する長さを有し、その中央部付近で前記固定部材に対して回転自在に取り付けられ、前記落下防止機構は、前記回転部材がランプ軸線に直交する面で回転を停止する回転停止機能を備えており、ランプを上下反転して該ランプの口金を上方にしたとき、前記回転部材は回転してランプ軸線に直交する面で回転を停止する。
【００１２】
更に、上記管球の落下防止機構付きランプにおいて、前記支持部材は、マウントの支柱の一部であってよい。
【００１３】
更に、上記管球の落下防止機構付きランプにおいて、前記回転部材の長さは、前記管球のネック部の口径より長くてもよい。
【００１４】
更に、上記管球の落下防止機構付きランプにおいて、前記落下防止機構には、前記回転部材の回転方向を一方向に制限する逆転防止機能が備わっていてもよい。
【００１５】
更に、上記管球の落下防止機構付きランプにおいて、前記回転停止機能及び前記逆転防止機能は、前記固定部材に形成されたタブ片により発揮されていてもよい。
【００１６】
更に、上記管球の落下防止機構付きランプにおいて、更に、前記固定部材に対して前記回転部材が所定の角度回転したとき、該回転部材を固定する回転部材固定機能を有していてもよい。
【００１７】
更に、上記管球の落下防止機構付きランプにおいて、前記落下防止機構を複数個設けていてもよい。
【発明の効果】
【００１８】
本発明によれば、管球の封止部やその周辺部にクラックが発生しても、管球の落下を確実に防止する落下防止機構付きランプを提供することが出来る。
【図面の簡単な説明】
【００１９】
【図１】図１は、先行技術文献である特許文献１に開示する管球の落下防止機構を説明する図である。
【図２】図２は、先行技術文献である特許文献２に開示する管球の落下防止機構を説明する図である。
【図３】図３は、本実施形態に係る、管球の落下防止機構付きＨＩＤランプの全体を説明する図である。
【図４】図４は、本実施形態に係る、ＨＩＤランプのバルブ形状を説明する図である。
【図５】図５は、管球の落下防止機構の詳細を示し、ここで、（１）は落下防止機構の作動前の状況を示し、（２）は作動後の状況を示している。
【図６】図６は、図５の管球の落下防止機構の変形例を示し、ここで、（Ａ）は固定部材に対し、取り付け部品を使って回転部材を取り付ける様子を説明する図であり、（Ｂ）は回転前後の固定部材と回転部材の関係を説明する図である。
【図７Ａ】図７Ａは、先行技術文献である特許文献１，２の落下防止機構の作動状況を説明する図であり、（１）は図３と同じ方向から見た図であり、（２）は落下防止機構取り付け付近のランプ軸線に垂直な断面図である。
【図７Ｂ】図７Ｂは、本実施形態に係る落下防止機構の作動状況を説明する図であり、（１）は図３と同じ方向から見た図であり、（２）は落下防止機構取り付け付近のランプ軸線に垂直な断面図である。
【図８】図８は、落下防止機構が取り付けられたマウントをランプ管球に取り付ける方法を説明する図である。
【図９】図９は、代替例として、複数個の落下防止機構が取り付けられたランプを示す図である。
【発明を実施するための形態】
【００２０】
以下、本発明に係る管球の落下防止機構付きランプの実施形態に関して、添付の図面を参照しながら詳細に説明する。図中、同じ要素に対しては同じ参照符号を付して、重複した説明を省略する。
【００２１】
［管球の落下防止機構付きランプ］
（ＨＩＤランプの構造）
図３は、本実施形態に係る管球の落下防止機構付きランプを説明する図である。ランプとして、ＨＩＤランプの１つであるセラミックメタルハライドランプ１０を例に挙げて説明する。
【００２２】
図３に示すように、セラミックメタルハライドランプ１０は、管球２の内部に、発光管４を内封した二重構造となっている。管球２の端部には、Ｅ形口金６が接合されている。発光管４は、マウント８により所定の位置に支持され給電される。マウント８の一部に管球の落下防止機構２２が取り付けられている
これらの各要素について詳述する。
【００２３】
発光部となる発光管４は、中央の太管部４ａ及び両端の細管部４ｂ，４ｃの形状をもつセラミックス製の透光性容器である。一対のリード線５，７が、これら細管部４ｂ，４ｃを夫々通して太管部４ａの領域まで延びて、一対の主電極（図示せず。）を形成している。発光管４の容器内には、発光及び放電媒体として、所定量の水銀と、所定の複数の発光金属のハロゲン化物と、希ガスとして所定圧力のアルゴン（Ａｒ）ガス等が封入されている。
【００２４】
マウント８は、一対の導入線が気密封着されたステム管１４と、一方の導入線に接続された、モリブデンＭｏ，ステンレス等の線材や略長四角形状の枠状に成形した丸棒体から成る支柱１６と、支柱に固定された抵抗器、バイメタル等の始動回路部２０とを主要部品として構成される。
【００２５】
落下防止機構２２に関しては、後で、図５〜図９を用いて詳述する。
【００２６】
管球２は、例えば、ホウケイ酸ガラス等の透光性の硬質ガラスから成る。管球２は、例えば、図３で見て、最大口径の中央部２ａ、下部側のトップ部２ｂ、及び上部側のネック部２ｃを有するＢＴ形である。ネック部２ｃには、ステム管１４のフレア部が封止された封止部（図示せず。）が有る。この封止部を覆ってＥ形の口金６が耐熱性の接着剤を用いて接合され、或いはモールドにより形成された螺旋状のねじ溝に口金６が螺合されて取付けられる。
【００２７】
図３に示すセラミックメタルハライドランプ１０は、多くの場合、Ｅ形口金６が上方に位置する鉛直又は傾斜したベースアップ状態でソケット（図示せず。）に取り付けられ点灯される。
【００２８】
（対象となるランプ及びランプ形状）
図３では、セラミックメタルハライドランプ１０を例に挙げて説明しているが、これに限定されない。対象となるランプには、他のＨＩＤランプ、例えば、高圧水銀ランプ、メタルハライドランプ、セルフバラスト水銀ランプ、高圧ナトリウムランプ等が含まれる。更に、ＨＩＤランプに限られず、管球が剥き出しでカバー無しで使用されている白熱ランプ等も含まれる。
【００２９】
図３では、ランプ形状として、ＢＴ形ランプ１０を例にとって説明をしているが、これに限定されない。図４は、本実施形態に係るランプの管球形状を説明する図である。本実施形態に係るランプは、中央部２ａがネック部２ｃより少しでも大きい口径の全てのランプ形状が対象となる。ランプ形状は、例えば、Ｂ型ランプ（Ａ）、ＢＴ型ランプ（Ｂ）、Ｒ型ランプ（Ｃ）、Ｇ型ランプ（Ｄ）及び（Ｅ）に示すＴ型であってよい。
【００３０】
（管球の落下防止機構）
図５は、管球の落下防止機構の詳細を示し、ここで、（１）は落下防止機構の作動前の状況を示し、（２）は作動後の状況を示している。落下防止機構２２は、支柱１６に固定された固定部材２４と、固定部材に対して支点２８の位置に回転自在に取り付けられた回転部材２６とを有する。この回転は、支点２８に対して回転部材２６の両側の重量が不均衡に成るよう形成し、落下防止機構２２（実際には、ランプ１０自体）を上下反転して、地球の重力Ｇを利用して実現される。
【００３１】
ここで注意願いたいことは、図５では、落下防止機構２２の作動状況を分かり易くするため、作動前の落下防止機構（１）を、作動後の落下防止機構（２）では上下反転せずに、敢えて、（１）及び（２）で落下防止機構が対応するように描かれている。即ち、落下防止機構２２自体を反転させた図ではなく、（１）では落下防止機構２２に対する重力Ｇが矢印方向（図面で上方向）にかかり、これを上下反転した（２）では重力Ｇの矢印方向を反転（図面で下方向）させていることに留意されたい。
【００３２】
固定部材２４は、金属板等を加工した条片から形成される。固定部材２４は、例えば、マウント８を構成する支柱１６の一部分に沿って取り付け固定される。好ましくは、支柱１６の固定部材取り付け箇所は、概して、ランプ軸線Ｌ−Ｌ（図３参照）に沿って延在している箇所である。しかし、マウント８の他の構成部材に取り付けてもよい。固定部材２４の支柱１６に対する固定は、溶接等の方法による。
【００３３】
同様に、回転部材２６も金属板等を加工した条片から形成される。回転部材２６は、固定部材２４に対して支点２８の周りに回転自在に取り付けられる。本実施形態の場合、好ましくは、回転部材２６は、時計方向に角度約９０度までの範囲で回転自在である。
【００３４】
回転部材２６は、支点２８に対して両側の重量が不均衡に成るよう形成される。これを実現する方法は、任意の方法であってよい。典型的には、回転部材２６の一端に錘２６ａを取り付ける。或いは、支点２８から片側だけを長めにし、その先端部を二重、三重に折り返して錘の代わりにしてもよい。或いは、支点２８から片側の条片の板厚を相対的に厚くし、又は同じ厚さでも条片の幅を相対的に広くして、重量不均衡にしてもよい。
【００３５】
固定部材２４と回転部材２６の長さは、回転部材２６が所定の長さ（図７Ｂに関連して説明するように、管球２の一部に係止して落下防止機能を発揮し得る長さ。）を有する限り、同じ長さでも、いずれか一方がより長くてもよい。固定部材２４と回転部材２６の夫々の幅は、任意であってよい。しかし、あまり広い幅ではランプの光線を遮蔽するので、一般には幅は狭い方が好ましい。
【００３６】
支点２８の位置で固定部材２４に回転部材２６を回転自在に取り付ける方法は、任意の方法でよい。例えば、回転部材２６に丸い開孔を形成し、頭部大きくしたピンを開孔を通して固定部材２４に立ててもよい。或いは、固定部材２４及び回転部材２６に対応する開孔を形成し、適当なピンで両者を回転自在に留めてもよい。
【００３７】
固定部材２４に対する回転部材２６の回転方向は、時計方向及び反時計方向の任意の一方向に回転自在でもよく、或いは両方向に回転自在でもよい。固定部材２４に対する回転部材２６の回転範囲は、支柱１６に沿った位置から角度約９０度まで回転自在であり、それ以上の回転を停止する適当な回転停止機構が必要となる。
【００３８】
図５に図示する例では、固定部材２４の右側辺の一部を折り曲げてタブ片２４ａを形成している。このタブ片２４ａは、支点２８より僅かに下側に位置している。タブ片２４ａは、回転部材２６が支点２８の周りを時計方向にほぼ角度９０度以上回転しないように回転停止機能をもっている。同時に、このタブ片２４ａは、回転部材２６が反時計方向に回転しないように逆転防止機能ももっている。
【００３９】
タブ片２４ａの位置を変えて、固定部材２４の右側辺で支点２８より僅か上側の位置にすると、回転停止機能と、回転部材２６の時計方向回転を阻止する逆転防止機能とをもつ。固定部材２４の左側辺で支点２８より僅か下側の位置にすると、回転停止機能と、回転部材２６の時計方向回転を阻止する逆転防止機能とをもつ。固定部材２４の右側辺で支点２８より僅か上側の位置にすると、回転停止機能と、回転部材２６が反時計方向回転を阻止する逆転防止機能とをもつこととなる。
【００４０】
また、好ましくは、回転部材２６の支点２８から錘２６ａの有る側の長さを、反対側より長めに形成することにより、管球落下時に錘方向２６ａの有る側の先端部が先に管球に係止し、回転部材が反転（戻る方向に回転）するのを防止することが出来る。
【００４１】
（変形例）
回転部材２６を両方向に回転自在にした場合には、逆転防止機能は不要であるが、両方向に回転停止機能を設ける必要がある。図６は、図５の管球の落下防止機構の変形例を示し、ここで、（Ａ）は固定部材に対し、取り付け部品を使って回転部材を取り付ける様子を説明する図であり、（Ｂ）は回転前後の固定部材と回転部材の関係を説明する図である。図６の落下防止機構は、図５の落下防止機構と比較して、回転部材２６が所定の角度回転したとき、回転部材を固定する回転部材固定機能を有している点で相違する。
【００４２】
図６（Ａ）を参照すると、支柱１６に固定部材２４が固定されている。固定部材２４の支点２８に対して、回転部材２６の開孔２６ｂを位置決めする。この状態で、取り付け部品２９を固定部材２４の支点２８に取り付ける。取り付け部品２９は、円盤状部材２９ａと軸２９ｂから成る。円盤状部材２９ａは、回転部材２６の開孔２６ｂより大きな口径を有する。軸は２９ｂは、断面形状が円形の両側を切り取った形状である（拡大図Ａ−１の斜線部参照）。この断面形状の円周部分は、回転部材２６の開孔２６ｂより僅かに小さな口径となっている。取り付け部品２９の固定部材２４に対する取り付けは、固定部材２４の支点２８の箇所に所定の雌ねじ孔を形成し、取り付け部品２９を一種の雄ネジとして軸２９ｂの周囲に雄ネジを形成して、ネジ留めとしてもよい。或いは、溶接その他の接合技術を利用してもよい。
【００４３】
回転部材２６の開孔２６ｂは、軸落とし込み部２６ｃが形成されている（なお、軸落とし込み部２６ｃは、開孔２６ｂに２個、図の位置と１８０度移動した位置に形成してもよい。）。最初、回転部材２６は、支柱１６及び固定部材２４に沿った位置にある。この状態の回転部材２６の開孔２６ｂの軸落とし込み部２６ｃは横方向にある（拡大図Ａ−２参照）。回転部材２６が回転すると、開孔２６ｂの軸落とし込み部２６ｃは上方向に移動する（拡大図Ａ−３参照）。
【００４４】
図６（Ｂ）を参照すると、回転部材２６の回転により、開孔２６ｂの軸落とし込み部２６ｃと軸２９ｂの位置が整合し、回転部材２６が全体にその重量により下方に移動し、軸落とし込み部２６ｃの中に軸２９ｂが組み込まれる。これにより、回転部材２６の角度９０度以上の回転は阻止され、且つ回転部材は固定される。
【００４５】
落下防止機構２２は、支柱１６の所定箇所（図３参照）に取り付けられる。落下防止機構２２は、発光管４からの配光への影響が少ない位置に取り付けることが好ましい。落下防止機構２２は、好ましくは、支柱１６と同じ材質である、モリブデンＭｏ、ステンレス等の線材から形成されている。落下防止機構２２の作動は、高輝度放電ランプ１０の上下を反転（従って、内部の落下防止機構２２を上下反転）させることにより行われる。
【００４６】
この落下防止機構２２の特徴の１つは、落下防止機構２２の取り付け箇所及び作動範囲が、マウント８の外周部及びその周囲に限定されることにある。このため、マウント８の内側空間は、落下防止機構２２に邪魔されることなく、自由に部品配置、配線等に利用することが出来る。
（先行特許文献１，２との比較における本実施形態の利点・効果等）
図７Ａ及び図７Ｂを参照しながら、先行特許文献１，２との比較において、本実施形態の落下防止機構２２の構成、利点、効果等を説明する。
【００４７】
(1) 落下防止機構の作動
図７Ａは、特許文献１，２の落下防止機構の作動を簡単に説明する図であり、（１）は図３と同じ方向から見た図であり、（２）は落下防止機構取り付け付近のランプ軸線Ｌ−Ｌに垂直な断面図である。外周の実線の円は防止機構取り付け付近の管球２０であり、内周の破線円は管球のネック部２０ｃを示す。これに対して、図７Ｂは、本実施形態に係る落下防止機構の作動状況を説明する図であり、同様に、（１）は図３と同じ方向から見た図であり、（２）は落下防止機構取り付け付近のランプ軸線Ｌに垂直な断面図である。
【００４８】
先行特許文献１，２では、図７Ａに示すように、支柱１６０に取り付けられた落下防止機構２２２は、作動すると、ランプ軸線Ｌから半径方向外方（図のＸ軸方向材）に沿って延びて、その先端部が管球２０に係止又は落下時に係止できる位置で停止する。これに対して、本実施形態では、図７Ｂに示すように、支柱１６に取り付けられた落下防止機構２２は、作動すると、半径方向に対し垂直方向（図のＹ軸方向材）に沿って延びる。そして、一方の端部又は両端部が、管球に係止又は落下時に係止できる位置で停止する。
【００４９】
従って、両者は、その構成の相違から、落下防止機構が延在する方向が相違する。延在方向が相違することにより、先行特許文献１，２では、落下防止機構は一点でしか管球に係止出来ないのに対して、本実施形態では、落下防止機構は二点で管球に係止することが期待できる。
【００５０】
本実施形態の回転部材２６の長さについて説明する。図７Ｂで分かる通り、回転部材２６の長さが外球ネック部２ｃの直径より大きい場合には、回転部材２６が外球ネック部２ｃを通り抜けることが無く、外球２の落下は確実に防止できる。更に、この落下防止機構２２の特徴の１つは、落下防止機構２２の取り付け箇所及び作動範囲が、マウント８の外周部及びその周囲に限定されることにある。マウント８の内側空間には、取り付けられない。従って、回転部材２６の長さが外球ネック部２ｃの直径より小さい場合であっても、外球が落下する際に回転部材２６の少なくても一端が外球内面に係合する長さであればよい。回転部材２６の具体的な長さは、回転部材２６の取り付け位置、外球形状等により定められる。
【００５１】
(2)落下防止の確実性
回転部材２６（図７Ｂ参照）の長さを、管球のネック部２ｃの口径より長くした場合には、管球の落下を確実に防止できる。
【００５２】
（落下防止機構のランプへの組み込み）
図８は、落下防止機構のランプへの組み込み方法を説明する図である。（Ａ）において、マウント８の一部に落下防止機構２２を取り付ける。次に（Ｂ）において、外管バルブ２を、ネック部２ｃを下にして位置決めする。次に、マウント８を、下方からネック部２ｃに通して外管バルブ２内に挿入する。このとき（Ｃ）に示すように、マウント８に取り付けられた落下防止機構２２は作動前であり、容易に挿入することができる。挿入終了後の（Ｄ）において、ネック部２ｃの一部をバーナー等で加熱溶融させることでマウント下部のフレアと溶着させ、余ったネック部を落として外管バルブ２とマウント８とを一体化させる。更に、マウント下部の排気管から外管バルブ２内の空気を抜いて真空状態にするか不活性ガスを封入し、排気管をチップオフして、外管バルブ２を気密封じする。その後、口金６を用意し、ネック部２ｃに取り付ける。次に（Ｅ）において、ランプ２を上下反転して、落下防止機構２２を作動する。図７Ｂに示すように、回転部材２６がネック部２ｃより外側の位置まで延在して停止する。
【００５３】
これにより、万一、封止部やその周辺部に生じたクラックや割れが管球２を一周しても、管球２が口金６から離脱して下方に落下するのを防止することができる。
【００５４】
なお、ランプ１０の取り付け方向に関して、口金６を上方にしてソケット（図示せず。）に取り付けると説明してきたが、これに限定されない。この落下防止機構２２は、回転部材２６が回転できる範囲であれば、ランプ１０の軸線Ｌ−Ｌが斜めであってもよい。なお、ランプ１０を斜めに取り付けて点灯する場合、予め、微振動を与えてスライド部材２４を確実に回転しておくことが好ましい。
【００５５】
［他の実施形態に係る管球の落下防止機構付きランプ］
図９は、複数個（図では２個）の管球の落下防止機構２２を有する他の実施形態に係るランプを説明する図である。図４に示したように、ランプ１０の管球２には種々の形状がある。例えば、ネック部２ｃから中央部２ａにかけて口径が徐々に大きくなるようなバルブ形状の場合、複数個の落下防止機構２２，２２を設けることが好ましい。落下防止機構２２の個数は、個々のランプの管球２の形状、管球２とマウント８の位置関係等によって決定される。
【００５６】
［その他］
以上、管球の落下防止機構付きランプの実施形態に関して説明したが、これらは例示であって、本発明はこれに限定されない。当業者が容易になしえる、実施形態に対する追加、削除、変更、改良等は、本発明の範囲内である。本発明の技術的範囲は、添付の特許請求の範囲の記載に基づいて定められる。
【符号の説明】
【００５７】
１０：セラミックメタルハライドランプ，ランプ，ＢＴ形ランプ、  ２：管球，管球、  ２ａ：中央部、  ２ｂ：トップ部、  ２ｃ：ネック部、  ４：発光管、  ４ａ：太管部、  ４ｂ，４ｃ：細管部、  ５：リード線、  ６：Ｅ形口金、  ７：リード線、  ８：マウント、  １２：金属箔、  １４：ステム管、  １６：支柱、  ２０：始動回路、  ２２：落下防止機構、２４：固定部材、  ２４ａ：タブ、  ２６：回転部材、  ２６ａ：錘、  ２６ｂ：開孔、  ２６ｃ：軸落とし込み部、２８：支点、  ２９：取り付け部品、  ２９ａ：円盤状部材、  ２９ｂ：軸、
【図１】
2012230873.tif 000003
【図２】
2012230873.tif 000004
【図３】
2012230873.tif 000005
【図４】
2012230873.tif 000006
【図５】
2012230873.tif 000007
【図６】
2012230873.tif 000008
【図７Ａ】
2012230873.tif 000009
【図７Ｂ】
2012230873.tif 000010
【図８】
2012230873.tif 000011
【図９】
2012230873.tif 000012